【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
サービス情報のコンテンツを取得するための方法であって、
サービス情報プロバイダによって提供される無線ネットワークと関連付けられたサービスネットワーク情報を検出するステップと、
前記サービスネットワーク情報に含まれる識別子を取得するステップと、
前記識別子がデータベースに格納されているかどうかを判断するステップと、
前記識別子が前記データベースに格納されていると判断される場合に、前記識別子と前記サービス情報のコンテンツとの間の対応する関係に基づいて、前記サービス情報のコンテンツを取得するステップと
を含む、方法。
【請求項２】
前記サービスネットワーク情報の信号強度を検出するステップと、
前記サービスネットワーク情報の前記信号強度に基づいて順番に前記サービス情報のコンテンツを配列するステップと、
前記順番に従って、端末デバイス上に前記サービス情報のコンテンツを表示するステップと
をさらに含む、請求項１に記載の方法。
【請求項３】
前記サービス情報のコンテンツと関連付けられた動作を決定するステップと、
前記サービス情報のコンテンツのユーザ選択が検出される際に前記動作をトリガするステップと
をさらに含む、請求項１に記載の方法。
【請求項４】
前記サービス情報のコンテンツと関連付けられた前記動作が、端末デバイス上でのアプリケーションの始動、ウェブページへの接続、情報の受信、情報の格納、およびアプリケーションのダウンロードの少なくとも１つを含む、請求項３に記載の方法。
【請求項５】
前記識別子が、前記サービスネットワーク情報をブロードキャストするデバイスの識別情報、前記無線ネットワークの識別情報、およびセルラ移動ネットワークの領域識別情報の少なくとも１つを含む、請求項１に記載の方法。
【請求項６】
前記データベースが、複数のプリセット識別子および前記プリセット識別子の各々の対応するサービス情報のコンテンツを含む、請求項１に記載の方法。
【請求項７】
前記データベースが、リモートサーバに格納され、前記識別子がデータベースに格納されているかどうかを判断するステップが、前記リモートサーバとの情報交換を実行するステップを含む、請求項１に記載の方法。
【請求項８】
サービス情報のコンテンツを取得するための方法であって、
サービス情報プロバイダによって提供される無線ネットワークと関連付けられたサービスネットワーク情報を検出するステップと、
前記サービスネットワーク情報に含まれる識別子を取得するステップと、
前記識別子と前記サービス情報プロバイダとの間の対応する関係に基づいて、前記サービス情報プロバイダを識別するステップと、
前記識別されたサービス情報プロバイダに基づいて、前記サービス情報のコンテンツを取得するステップと、
端末デバイス上に前記サービス情報のコンテンツを表示するステップと
を含む、方法。
【請求項９】
前記サービスネットワーク情報の信号強度を検出するステップと、
前記サービスネットワーク情報の前記信号強度に基づいて順番に前記サービス情報のコンテンツを配列するステップと、
前記順番に従って、前記端末デバイス上に前記サービス情報のコンテンツを表示するステップと
をさらに含む、請求項８に記載の方法。
【請求項１０】
前記サービス情報のコンテンツと関連付けられた動作を決定するステップと、
前記サービス情報のコンテンツのユーザ選択が検出される際に前記動作をトリガするステップと
をさらに含む、請求項８に記載の方法。
【請求項１１】
前記サービス情報のコンテンツと関連付けられた前記動作が、端末デバイス上でのアプリケーションの始動、ウェブページへの接続、情報の受信、情報の格納、およびアプリケーションのダウンロードの少なくとも１つを含む、請求項１０に記載の方法。
【請求項１２】
前記識別子が、前記サービスネットワーク情報をブロードキャストするデバイスの識別情報、前記無線ネットワークの識別情報、およびセルラ移動ネットワークの領域識別情報の少なくとも１つを含む、請求項８に記載の方法。
【請求項１３】
前記サービスネットワーク情報が、WI-FIまたはBluetooth通信プロトコルを使用してネットワークデバイスによってブロードキャストされる、請求項８に記載の方法。
【請求項１４】
サービス情報のコンテンツを取得するためのデバイスであって、
サービス情報プロバイダによって提供される無線ネットワークと関連付けられたサービスネットワーク情報を検出するように構成された情報検出モジュールと、
前記サービスネットワーク情報に含まれる識別子を取得するように構成された識別子取得モジュールと、
前記識別子がデータベースに格納されているかどうかを判断するように構成された判断モジュールと、
前記識別子が前記データベースに格納されていると前記判断モジュールが判断する場合に、前記識別子と前記サービス情報のコンテンツとの間の対応する関係に基づいて、前記サービス情報のコンテンツを取得するように構成されたコンテンツ取得モジュールと
を含む、デバイス。
【請求項１５】
前記サービスネットワーク情報の信号強度を検出し、前記サービスネットワーク情報の前記信号強度に基づいて順番に前記サービス情報のコンテンツを配列するように構成された配列モジュールと、
前記順番に従って、端末デバイス上に前記サービス情報のコンテンツを表示するように構成された表示モジュールと
をさらに含む、請求項１４に記載のデバイス。
【請求項１６】
前記サービス情報のコンテンツと関連付けられた動作を決定し、前記サービス情報のコンテンツのユーザ選択が検出される際に前記動作をトリガするように構成された動作開始モジュールをさらに含む、請求項１４に記載のデバイス。
【請求項１７】
前記サービス情報のコンテンツと関連付けられた前記動作が、端末デバイス上でのアプリケーションの始動、ウェブページへの接続、情報の受信、情報の格納、およびアプリケーションのダウンロードの少なくとも１つを含む、請求項１６に記載のデバイス。
【請求項１８】
前記識別子が、前記サービスネットワーク情報をブロードキャストするデバイスの識別情報、前記無線ネットワークの識別情報、およびセルラ移動ネットワークの領域識別情報の少なくとも１つを含む、請求項１４に記載のデバイス。
【請求項１９】
前記データベースが、リモートサーバに格納され、前記判断モジュールが、前記識別子が前記データベースに格納されているかどうかを判断するための前記リモートサーバとの情報交換を実行するように構成される、請求項１４に記載のデバイス。
【請求項２０】
前記データベースが、複数のプリセット識別子および前記プリセット識別子の各々の対応するサービス情報のコンテンツを含む、請求項１４に記載のデバイス。
【請求項２１】
命令の組を記憶する非一時的コンピュータ可読媒体であって、前記命令は、端末デバイスの少なくとも一つのプロセッサによって、前記端末デバイスに、サービス情報のコンテンツを取得するための方法を実行させるように、実行可能であり、前記方法は、
サービス情報プロバイダによって提供される無線ネットワークと関連付けられたサービスネットワーク情報を検出するステップと、
前記サービスネットワーク情報に含まれる識別子を取得するステップと、
前記識別子がデータベースに格納されているかどうかを判断するステップと、
前記識別子が前記データベースに格納されていると判断される場合に、前記識別子と前記サービス情報のコンテンツとの間の対応する関係に基づいて、前記サービス情報のコンテンツを取得するステップと
を含む、非一時的コンピュータ可読媒体。
【請求項２２】
命令の組を記憶する非一時的コンピュータ可読媒体であって、前記命令は、端末デバイスの少なくとも一つのプロセッサによって、前記端末デバイスに、サービス情報のコンテンツを取得するための方法を実行させるように、実行可能であり、前記方法は、
サービス情報プロバイダによって提供される無線ネットワークと関連付けられたサービスネットワーク情報を検出するステップと、
前記サービスネットワーク情報に含まれる識別子を取得するステップと、
前記識別子と前記サービス情報プロバイダとの間の対応する関係に基づいて、前記サービス情報プロバイダを識別するステップと、
前記識別されたサービス情報プロバイダに基づいて、前記サービス情報のコンテンツを取得するステップと、
端末デバイス上に前記サービス情報のコンテンツを表示するステップと
を含む、非一時的コンピュータ可読媒体。